(57)【要約】      （修正有）【課題】パレットのずれを防止できる積載棚のパレットのずれ防止装置を提供する。【解決手段】パレットの積載棚本体１と、この積載棚本体１に設けられたパレットのずれ防止装置とを備えた積載棚のパレットのずれ防止装置にあって、このパレットのずれ防止装置は積載棚の本体１の水平部材８に設けられ、一側を開放し略コ字状に形成され、水平部材８を側面側からくわえ込むように水平部材８に装着されると共に、取付部材１７のネジ部１６に対応する位置に取付穴１８を設けると共にネジ部１６にねじ込まれるナット１９および取付部材１７を介して、取付部材１７の装着側と反対側の水平部材８の側面にねじ止め固定され、固定された状態において、パレット１１のずれを抑制するよう、上端部を水平部材８の上面より上方で且つパレット１１の底面より上方に位置するように形成させたストッパ部材２４とを備えているものである。【選択図】図５
2006182470.tif 000002
【特許請求の範囲】
【請求項１】
パレットの積載棚本体と、このパレットの積載棚本体に設けられたパレットのずれ防止装置とを備えた積載棚のパレットのずれ防止装置にあって、
このパレットのずれ防止装置は前記積載棚の本体の水平部材に設けられ、一側を開放し略コ字状に形成され、前記水平部材を側面側からくわえ込むように前記水平部材に装着されると共に、開放側の端部にネジ部を形成した取付部材と、
前記取付部材のネジ部に対応する位置に取付穴を設けると共に前記ネジ部にねじ込まれるナットおよび前記取付部材を介して、前記取付部材の装着側と反対側の前記水平部材の側面にねじ止め固定され、固定された状態において、パレットのずれを抑制するよう、上端部を前記水平部材の上面より上方で且つパレットの底面より上方に位置するように形成させたストッパ部材とを備えてなる
ことを特徴とする積載棚のパレットのずれ防止装置。
【請求項２】
ストッパ部材は、その下方部に、パレットの積載棚本体の水平部材に固定された状態において、前記水平部材の底面と対向位置するように突出形成させた案内部を設けるようにした
ことを特徴とする請求項１記載の積載棚のパレットのずれ防止装置。
【請求項３】
パレットのずれ防止装置は、パレットの積載棚本体に載置された複数のパレットの間に跨ってパレットと対向位置するように、水平部材に設けるようにした
ことを特徴とする請求項１記載の積載棚のパレットのずれ防止装置。
【請求項４】
パレットの積載棚本体と、このパレットの積載棚本体に設けられたパレットのずれ防止装置とを備えた積載棚のパレットのずれ防止装置にあって、
このパレットのずれ防止装置は前記積載棚の本体の水平部材に設けられ、一側を開放し略コ字状に形成され、前記水平部材に設けられた第１の穴、第２の穴を介して前記水平部材に装着されると共に、開放側の端部にネジ部を形成した取付部材とを有し、
前記水平部材は、前記水平部材の長手方向を横断する方向の断面は、第１の直線部と、この第１の直線部と同面の第２の直線部とを有し、この第２の直線部と前記第１の直線部との間に形成された凹所を有し、
前記取付部材のネジ部に対応する位置に取付穴を設けると共に前記ネジ部にねじ込まれるナットおよび前記取付部材を介して、前記取付部材の装着側と反対側の前記水平部材の側面にねじ止め固定される断面Ｌ型のストッパ部材と、
このストッパ部材が固定された状態において、パレットのずれを抑制するよう、断面Ｌ型の一方の端部を前記水平部材の上面より上方で且つパレットの底面より上方に位置するように形成させると共に、断面Ｌ型の他方の端部が前記凹所の底面に当接している
ことを特徴とする積載棚のパレットのずれ防止装置。
【請求項５】
パレットの積載棚本体と、このパレットの積載棚本体に設けられたパレットのずれ防止装置とを備えた積載棚のパレットのずれ防止装置にあって、
このパレットのずれ防止装置は前記積載棚の本体の水平部材に設けられ、前記水平部材に設けられた第１の穴を介して前記水平部材に装着されると共に、端部にネジ部を形成した第１の取付部材と、前記水平部材に設けられた第２の穴を介して前記水平部材に装着されると共に、端部にネジ部を形成した第２の取付部材とを有し、
前記水平部材は、前記水平部材の長手方向を横断する方向の断面は、第１の直線部と、この第１の直線部と同面の第２の直線部とを有し、この第２の直線部と前記第１の直線部との間に形成された凹所を有し、
前記第１，第２の取付部材のネジ部に対応する位置に取付穴を設けると共に前記ネジ部にねじ込まれるナットおよび前記取付部材を介して、前記第１，第２の取付部材の装着側と反対側の前記水平部材の側面にねじ止め固定される断面Ｌ型のストッパ部材と、
このストッパ部材が固定された状態において、パレットのずれを抑制するよう、断面Ｌ型の一方の端部を前記水平部材の上面より上方で且つパレットの底面より上方に位置するように形成させると共に、断面Ｌ型の他方の端部が前記凹所の底面に当接している
ことを特徴とする積載棚のパレットのずれ防止装置。
【発明の詳細な説明】
【技術分野】
【０００１】
本発明は、工場、駅等で物品の輸送、保管などのため使用されるパレットを荷積みした物品と共に積載する積載棚に関し、詳しくは、積載されたパレットがずれて、積載棚から落下するのを防止する積載棚のパレットのずれ防止装置に関する。
【背景技術】
【０００２】
従来、物品の輸送、保管などのため使用されるパレットを荷積みする積載棚にあっては、パレットを受け入れる側と対向する側、つまり、パレット上に搭載した物品の背面側には、クロス状に設けられた落下防止用の部材がある。そして、パレットとパレット上に搭載した物品との間には、固定手段により固定されている。
【発明の開示】
【発明が解決しようとする課題】
【０００３】
しかしながら、地震等により物品を搭載したパレットがパレットを受け入れる側へ移動した場合、パレットの移動を阻止するものがなく、物品を搭載したパレットが積載棚より落下し、非常に危険であるという問題点があった。
本発明は前記した問題点を解決するためになされたもので、物品を積載したパレットのずれを確実に防止でき、積載棚からのパレットの落下防止を図れると共に、パレットを整理、整頓された状態で載置保管でき、パレットの移送、積載作業を効率よく且つ安全に行え、しかも、ずれ防止装置の構成部品を簡単に製作できると共に、積載棚への取付も迅速に行える積載棚のパレットのずれ防止装置を提供することを目的とする。
【課題を解決するための手段】
【０００４】
前記した問題を解決するための本発明の手段は、パレットの積載棚本体と、このパレットの積載棚本体に設けられたパレットのずれ防止装置とを備えた積載棚のパレットのずれ防止装置にあって、このパレットのずれ防止装置は前記積載棚の本体の水平部材に設けられ、一側を開放し略コ字状に形成され、前記水平部材を側面側からくわえ込むように前記水平部材に装着されると共に、開放側の端部にネジ部を形成した取付部材と、前記取付部材のネジ部に対応する位置に取付穴を設けると共に前記ネジ部にねじ込まれるナットおよび前記取付部材を介して、前記取付部材の装着側と反対側の前記水平部材の側面にねじ止め固定され、固定された状態において、パレットのずれを抑制するよう、上端部を前記水平部材の上面より上方で且つパレットの底面より上方に位置するように形成させたストッパ部材とを備えてなるものである。
【０００５】
また、請求項２記載の積載棚のパレットのずれ防止装置は、請求項１記載の積載棚の
ストッパ部材は、その下方部に、パレットの積載棚本体の水平部材に固定された状態において、前記水平部材の底面と対向位置するように突出形成させた案内部を設けるようにしたものである。
【０００６】
また、請求項３記載の積載棚のパレットのずれ防止装置は、請求項１記載の積載棚のパレットのずれ防止装置において、パレットのずれ防止装置は、パレットの積載棚本体に載置された複数のパレットの間に跨ってパレットと対向位置するように、水平部材に設けるようにしたものである。
【０００７】
また、請求項４記載の積載棚のパレットのずれ防止装置は、パレットの積載棚本体と、このパレットの積載棚本体に設けられたパレットのずれ防止装置とを備えた積載棚のパレットのずれ防止装置にあって、このパレットのずれ防止装置は前記積載棚の本体の水平部材に設けられ、一側を開放し略コ字状に形成され、前記水平部材に設けられた第１の穴、第２の穴を介して前記水平部材に装着されると共に、開放側の端部にネジ部を形成した取付部材とを有し、前記水平部材は、前記水平部材の長手方向を横断する方向の断面は、第１の直線部と、この第１の直線部と同面の第２の直線部とを有し、この第２の直線部と前記第１の直線部との間に形成された凹所を有し、前記取付部材のネジ部に対応する位置に取付穴を設けると共に前記ネジ部にねじ込まれるナットおよび前記取付部材を介して、前記取付部材の装着側と反対側の前記水平部材の側面にねじ止め固定される断面Ｌ型のストッパ部材と、このストッパ部材が固定された状態において、パレットのずれを抑制するよう、断面Ｌ型の一方の端部を前記水平部材の上面より上方で且つパレットの底面より上方に位置するように形成させると共に、断面Ｌ型の他方の端部が前記凹所の底面に当接しているものである。
【０００８】
また、請求項５記載の積載棚のパレットのずれ防止装置は、パレットの積載棚本体と、このパレットの積載棚本体に設けられたパレットのずれ防止装置とを備えた積載棚のパレットのずれ防止装置にあって、このパレットのずれ防止装置は前記積載棚の本体の水平部材に設けられ、前記水平部材に設けられた第１の穴を介して前記水平部材に装着されると共に、端部にネジ部を形成した第１の取付部材と、前記水平部材に設けられた第２の穴を介して前記水平部材に装着されると共に、端部にネジ部を形成した第２の取付部材とを有し、前記水平部材は、前記水平部材の長手方向を横断する方向の断面は、第１の直線部と、この第１の直線部と同面の第２の直線部とを有し、この第２の直線部と前記第１の直線部との間に形成された凹所を有し、前記第１，第２の取付部材のネジ部に対応する位置に取付穴を設けると共に前記ネジ部にねじ込まれるナットおよび前記取付部材を介して、前記第１，第２の取付部材の装着側と反対側の前記水平部材の側面にねじ止め固定される断面Ｌ型のストッパ部材と、このストッパ部材が固定された状態において、パレットのずれを抑制するよう、断面Ｌ型の一方の端部を前記水平部材の上面より上方で且つパレットの底面より上方に位置するように形成させると共に、断面Ｌ型の他方の端部が前記凹所の底面に当接しているものである。
【発明の効果】
【０００９】
本発明の積載棚のパレットのずれ防止装置は、略コ字状に形成し端部にネジ部を形成した取付部材と、このネジ部にねじ込まれるナットを介して、ストッパ部材を積載棚の水平部材に取り付け、このストッパ部材の上端部を、水平部材の上面より上方で且つパレットの底面より上方に位置するように形成させ、積載棚のパレットのずれの防止装置を構成するようにしたため、物品を積載したパレットのずれを確実に防止できる。
このため積載棚からのパレットの落下防止を図れると共に、パレットを整理整頓された状態で載置保管でき、パレットの移送、積載作業を効率よく且つ安全に行うことができる。しかも、ずれ防止装置の構成部品も簡単に製作できると共に、積載棚の取付を迅速に行える等の効果を有する。
【発明を実施するための最良の形態】
【００１０】
（実施例１）
以下、本発明の一実施例について図１〜９に従って説明する。１はパレットの積載棚本体で、例えば、一般構造用の角形鋼管等から成るもので、この積載棚本体１は、第１段目の載置棚空間２は直接、設置床面３に置く形式で、第２段目、第３段目の載置棚空間４、５と順次３段と載置する積載棚を構成する。
【００１１】
積載棚本体１は、図１の右側の前後に位置する２本の縦部材６、６および左側の前後に位置する２本の縦部材７、７の４本の縦枠で縦方向の支柱を形成している。また右側の縦部材６、６と左側の縦部材７、７とは、その左右の幅方向に沿って水平に渡された前後４本の水平部材８、８、８、８とで連結している。
さらに、右側の縦部材６と縦部材６とは、奥行方向に沿って２本の水平部材９、９で、また左側の縦部材７と縦部材７とは奥行方向に沿って２本の水平部材９、９でお互いに連結している。
また、第１、第２、第３の各載置棚空間２、４、５に各々区画している前側の水平部材８、８と後側の水平部材８、８とは、物品を受けて載置するための載置枠１０を奥行方向に沿って各４本ずつ連結している。この載置枠１０は積載する物品の大きさ、重量に応じて適宜本数に設定する。そして、これらの各部材は溶接等の手段で互いに固定されている。
【００１２】
１１は物品１２を積んだパレットで、例えば、強化プラスチック等の材料から構成する。１３、１３はこのパレット１１を物品１２ごとフォークリフトで搬送する際、フォークリフトの２本のつめ、つまり、フォークが挿入される挿入口である。なお、パレット１１は一般に平パレットと呼ばれているもので示している。しかし、図示しないが、パレット自身が物品を収納する箱状に形成させたボックスパレットであっても勿論良い。
【００１３】
また、１４はパレットのずれ防止装置である。このずれ防止装置１４は、積載棚本体１の水平部材８に設けられている。そして、ずれ防止装置１４は、図４及び図６に示すように、一側を開放し略コ字状に形成され、水平部材８を側面１５側からくわえ込むように水平部材８に装着されると共に、開放側の端部にネジ部１６、１６を形成した取付部材１７を備えている。
【００１４】
更に、ずれ防止装置１４には、板状の金属材料等で略矩形状に形成され、取付部材１７のネジ部１６、１６に対応する位置に取付穴１８、１８を設けると共に、ネジ部１６、１６にねじ込まれるナット１９、１９および取付部材１７を介して、取付部材１７の装着側と反対側の水平部材８の側面２０にねじ止め固定され、固定された状態において、パレット１１のずれを抑制するよう、上端部２１を水平部材８の上面２２より上方で且つパレット１１の底面２３より上方に位置するように形成させたストッパ部材２４とを備えている。
【００１５】
従って、ずれ防止装置１４を簡単に製作できる。３１は座金である。なお、２５は矩形状に形成され、ストッパ部材２４の取付穴１８、１８と対向する位置に穴２６、２６を設けると共に、ストッパ部材２４に溶接された補強板である。この補強板２５は取付穴１８部分の補強をするのもので、ストッパ部材２４の板厚を厚くし強度を大きくすれば勿論不要である。
【００１６】
このように構成するパレットのずれ防止装置１４は、積載棚本体１の幅方向に沿って渡された前側の水平部材８に装着固定する。そして、装着状態を積載棚本体１の第２段目の載置棚空間４の部分をとりあげ説明する。つまり、パレット１１は２個積載しているので、パレット１１、１１の端部が臨む縦部材６、７側の近傍の水平部材８に各パレット１１、１１と対向位置させて、ずれ防止装置１４、１４を、また、複数のパレット１１と１１の間に跨ってパレット１１、１１と対向する位置するように、１個のずれ防止放置１４を設ける。図２によりさらに説明する。つまり、取付されたずれ防止装置１４、１４間の寸法Ｓが、パレット１１の幅寸法Ｌより小さくなるように、ストッパ部材２４、２４の幅を設定してある。
【００１７】
また、図８、９はパレット１１のずれの状態を示すもので、パレット１１は通常、実線で示す定位置に載置されている。そして、例えば、この載置されたパレット１１の隣りのパレット１１を載置棚本体１から移送のため下ろす場合、定位置に置かれたパレット１１は、フォークリフトによる衝撃、振動の影響を受け、矢印の向きに移動する。
しかし、パレット１１は、ずれ防止装置１４のストッパ部材２４によりずれを抑制されるため、鎖線で示す位置に保持される。このため積載棚本体１からのパレット１１の落下防止を図れる。またパレット１１が水平部材８から前方に突出することがないため、パレット１１を整理整頓された状態で載置保管できる。
【００１８】
更に、ストッパ部材２４の幅はパレット１１とパレット１１との間に設けられたものが、縦部材６、７近傍のものより幅広に形成している。しかし、こればフォークリフトの２本のつめ、つまり、フォークがパレット１１の積み下ろしの際、ストッパ部材２４と干渉することがなく、支障のない場合は、幅広のストッパ部材２４で統一しても勿論良い。
【００１９】
また、図５、６に示すように、パレット１１とパレット１１間に跨って位置する箇所に設けたずれ防止装置１４は、本来ならば、パレット１１、１１に各々対向して１つずつ設けなくてはならないが、前述のようにストッパ部材２４を幅広に形成させることにより、一つのずれ防止放置１４で２つのパレット１１、１１のずれ防止が可能となる。
これにより、構成部品の簡単化が図れる。そして、この幅広のストッパ部材２４には、その下方部に、パレット１１の積載棚本体１の水平部材８に固定された状態おいて、水平部材８の底面２７と対向位置するように突出形成させた案内部２８を設けている。この案内部２８、２８はストッパ部材２４を水平部材８に取り付ける際、ストッパ部材２４が水平部材８に対して正しく水平に取付られるように、案内部２８を水平の位置決めガイドにしている。これによりずれを確実に防止しできる。案内部２８、２８はストッパ部材２４の下方に位置する取付穴１８を介して左右にそれぞれ位置している。
【００２０】
一方、第２、第３段目の各載置棚空間４、５の高さ寸法はパレット１１の積み下ろしの際、フォークリフトによりパレット１１の底面２３をストッパ部材２４の上端部２１より上方に持ち上げる必要があるため、この寸法を考慮して設定される。
【００２１】
（実施例２）
以下、本発明の実施例２について、実施例１と同一部分には同一符号を付して図１０に従って説明する。
この実施例は積載棚本体１を２段積みにし、１段目のパレット１１を床に直接置かずに、載置枠１０を設け載置するものである。また、パレット１１を木材で構成させた場合を示す。つまり、台枠２９と、この台枠２９、２９に直交するように詳細を図示しないが複数枚の物品載置板３０を取り付て構成する平形パレットに適用した場合を示す。
またさらにパレットのずれ防止装置１４を前側の水平部材８に加え、後側の水平部材８に設けた場合を示す。そして、これらの第２の実施例を第１の実施例と同様の作用効果
をなすものである。
【００２２】
（実施例３）
以下、本発明の実施例３について、実施例１、２と同一部分には同一符号を付して図１１乃至図１３に従って説明する。
この実施例においては、水平部材８’の水平部材８’の長手方向を横断する方向の断面は、第１の直線部８１と、この第１の直線部８１と同面の第２の直線部８２とを有し、この第２の直線部８２と第１の直線部８１との間に形成された凹所８３を有し、第１の穴８４、第２の穴取付穴８５が設けられている。また、ストッパ部材２４’は断面Ｌ型となっている。
このパレットのずれ防止装置は積載棚の本体１の水平部材８’に設けられ、一側を開放し略コ字状に形成され、水平部材８’に設けられた第１の穴８４、第２の穴８５を介して水平部材８’に装着されると共に、開放側の端部にネジ部を形成した取付部材１７を有している。
取付部材１７のネジ部１６、１６に対応する位置に取付穴１８、１８を設けると共にネジ部１６、１６にねじ込まれるナット１９、１９および取付部材１７を介して、取付部材１７の装着側と反対側の水平部材８’の側面にねじ止め固定される断面Ｌ型のストッパ部材２４’が設けられている。
そして、ストッパ部材２４’が固定された状態において、パレット１１のずれを抑制するよう、断面Ｌ型の一方の端部Ａを水平部材８’の上面より上方で且つパレット１１の底面より上方に位置するように形成させると共に、断面Ｌ型の他方の端部Ｂが凹所８３の底面に当接している（図１３参照）。図１１に示される１１は、上述の実施例と同様、パレットである。
【００２３】
（実施例４）
以下、本発明の実施例４について、実施例１、２、３と同一部分には同一符号を付して図１４乃至図１６に従って説明する。
実施例４は、前述の実施例３と異なる点は、実施例３の取付部材１７は略コ字状に形
成されているが、図１５に示すように、第１、第２の取付部材１７’、１７”と分離している点である。
このパレットのずれ防止装置は、積載棚の本体１の水平部材８’に設けられ、水平部材８’に設けられた第１の穴８４を介して水平部材８’に装着されると共に、端部にネジ部を形成した第１の取付部材１７’と、水平部材８’に設けられた第２の穴８５を介して水平部材８’に装着されると共に、端部にネジ部１６”を形成した第２の取付部材１７”とを有している。また、水平部材８’は、水平部材８’の長手方向を横断する方向の断面は、第１の直線部８１と、この第１の直線部８１と同面の第２の直線部８２とを有し、この第２の直線部８２と第１の直線部８１との間に形成された凹所８３を有している。また、第１，第２の取付部材１７’、１７”のネジ部１６’、１６”に対応する位置に取付穴１８、１８を設けると共にネジ部１６’、１６”にねじ込まれるナット１９、１９および第１，第２の取付部材１７’、１７”を介して、第１，第２の取付部材１７’、１７”の装着側と反対側の水平部材８’の側面にねじ止め固定される断面Ｌ型のストッパ部材２４’とを有している。そして、このストッパ部材２４’が固定された状態において、パレット１１のずれを抑制するよう、断面Ｌ型の一方の端部Ａを水平部材８’の上面より上方で且つパレット１１の底面より上方に位置するように形成させると共に、断面Ｌ型の他方の端部Ｂが凹所８３の底面に当接している（図１６参照）。図１４に示される１１は、上述の実施例と同様、パレットである。
【図面の簡単な説明】
【００２４】
【図１】図１は、本発明の積載棚のパレットのずれ防止装置の一実施例を示す概略的正面図である。
【図２】図２は、図１を矢印Ｘ方向から見た要部の概略的平面図である。
【図３】図３は、図１の要部の概略的図である。
【図４】図４は、図３のＡ−Ａ線に沿って切断し矢印の向きに見た概略的断面図である。
【図５】図５は、本発明の積載棚のパレットのずれ防止装置の一実施例を示す要部の概略的斜視図である。
【図６】図６は、図５を分解して示す概略的分解斜視図である。
【図７】図７は、本発明の積載棚のパレットの横ずれ防止装置の一実施例を示す要部の概略的斜視図である。
【図８】図８は、図１のＢ−Ｂ線に沿って切断し矢印の向きに見た概略的断面図である。
【図９】図９は、図１のＣ−Ｃ線に沿って矢印の向きに見た断面図である。
【図１０】図１０は、本発明の他の実施例の積載棚のパレットのずれ防止装置を示す概略的斜視図である。
【図１１】図１１は、本発明の他の実施例の要部の概略的図である。
【図１２】図１２は、図１１を分解して示す概略的分解斜視図である。
【図１３】図１３は、図１１の１３−１３線に沿って切断し矢印の向きに見た概略的断面図である。
【図１４】図１４は、本発明の他の実施例の要部の概略的図である。
【図１５】図１５は、図１４を分解して示す概略的分解斜視図である。
【図１６】図１６は、図１４の１６−１６線に沿って切断し矢印の向きに見た概略的断面図である。
【符号の説明】
【００２５】
１・・・・・パレットの積載棚本体
８・・・・・水平部材
１１・・・・・パレット
１６・・・・・ネジ部
１７・・・・・取付部材
１８・・・・・取付穴
１９・・・・・ナット
２４・・・・・ストッパ部材
【図１】
2006182470.tif 000003
【図２】
2006182470.tif 000004
【図３】
2006182470.tif 000005
【図４】
2006182470.tif 000006
【図５】
2006182470.tif 000007
【図６】
2006182470.tif 000008
【図７】
2006182470.tif 000009
【図８】
2006182470.tif 000010
【図９】
2006182470.tif 000011
【図１０】
2006182470.tif 000012
【図１１】
2006182470.tif 000013
【図１２】
2006182470.tif 000014
【図１３】
2006182470.tif 000015
【図１４】
2006182470.tif 000016
【図１５】
2006182470.tif 000017
【図１６】
2006182470.tif 000018